(57)【要約】【課題】使い捨て調合装置【解決手段】本発明は、液体透過性の材料（４）で形成されて香気材（５）を含有する少なくとも１つの内方区分（２）と、液体不透過性の材料（６）で形成された調合容器（３）を形成する少なくとも１つの外方区分とを備え、前記少なくとも１つの液体透過性の内方区分（２）が前記調合容器（３）の中に組み入れられる使い捨て調合装置（１）に関する。【選択図】図７
2007536172.tif 000002
【特許請求の範囲】
【請求項１】
液体透過性の材料（４）で形成されて香気材（５）を含有する少なくとも１つの内方区分（２）と、液体不透過性の材料（６）で形成された調合容器（３）を形成する少なくとも１つの外方区分とを備え、前記少なくとも１つの液体透過性の内方区分（２）が前記調合容器（３）の中に組み入れられることを特徴とする使い捨て調合装置（１；２０；３０；４０）。
【請求項２】
請求項１に記載の使い捨て調合装置（１）において、前記外方区分（３）は薄膜材により形成されることを特徴とする使い捨て調合装置（１）。
【請求項３】
請求項１あるいは２に記載の使い捨て調合装置（１）において、前記調合装置は、実質的に空気、香気、及び液体不透過性の外方シーリング（６、１０、１８；４１）を含むことを特徴とする使い捨て調合装置（１）。
【請求項４】
請求項１乃至３のいずれか１項に記載の使い捨て調合装置（１）において、前記調合容器（３）は調合装置の外方シーリングを形成することを特徴とする使い捨て調合装置（１）。
【請求項５】
請求項１乃至４のいずれか１項に記載の使い捨て調合装置（１）において、内方区分の材料（４）と、調合容器の材料（６、１０）と、その他のシーリングとはバッグまたは袋として形成されることを特徴とする使い捨て調合装置（１）。
【請求項６】
請求項１乃至５のいずれか１項に記載の使い捨て調合装置（１）において、調合容器（３）と内方区分（２）と外方シーリングとは、シート状、網状、円筒状、あるいは長尺の構造材から形成されることを特徴とする使い捨て調合装置（１）。
【請求項７】
請求項１乃至６のいずれか１項に記載の使い捨て調合装置（１）において、調合容器（３）と内方区分（２）と外方シーリングとを形成する前記バッグまたは袋は、縁部（８、９）を密着させることにより組み付けられることを特徴とする使い捨て調合装置（１）。
【請求項８】
請求項１乃至７のいずれか１項に記載の使い捨て調合装置（１）において、調合容器（３）と内方区分材料（４）との構造材の耐熱性は少なくとも１００℃まであることを特徴とする使い捨て調合装置（１）。
【請求項９】
請求項１乃至８のいずれか１項に記載の使い捨て調合装置（１）において、調合装置（１）の使用には大気圧で十分であることを特徴とする使い捨て調合装置（１）。
【請求項１０】
請求項１乃至９のいずれか１項に記載の使い捨て調合装置（１）において、前記液体不透過性材料（６、１０）は、前記調合容器（３）の壁部と底部とを構成することを特徴とする使い捨て調合装置（１）。
【請求項１１】
請求項１乃至１０のいずれか１項に記載の使い捨て調合装置（１）において、前記液体不透過性の底部の材料（１０）は前記壁部の材料（６）よりいっそうの可撓性を持つことを特徴とする使い捨て調合装置（１）。
【請求項１２】
請求項１乃至１１のいずれか１項に記載の使い捨て調合装置（１）において、調合容器の前記液体不透過性材料は、金属箔、高分子薄膜、金属化したまたは被覆した薄膜、高分子シーラント、ポリエステル、ポリアミド、並びにポリエチレン及びポリプロピレンを含むポリオレフィン、またはこれらの組合せの群から選択された少なくとも１つの薄膜または箔を含むことを特徴とする使い捨て調合装置（１）。
【請求項１３】
請求項１乃至１２のいずれか１項に記載の使い捨て調合装置（１）において、調合容器（３）の液体不透過性材料は、調合容器が自立できるに十分な大きい剛性を持つことを特徴とする使い捨て調合装置（１）。
【請求項１４】
請求項１乃至１３のいずれか１項に記載の使い捨て調合装置（１）において、調合容器（３）の前記液体不透過性材料は、１０μｍ乃至２ｍｍの、好ましくは４０μｍ乃至５００μｍの、より好ましくは６０μｍ乃至２００μｍの、最も好ましくは８０μｍ乃至１５０μｍの範囲の厚さを持つことを特徴とする使い捨て調合装置（１）。
【請求項１５】
請求項１乃至１４のいずれか１項に記載の使い捨て調合装置（１）において、前記液体不透過性材料は多層構造を含むことを特徴とする使い捨て調合装置（１）。
【請求項１６】
請求項１乃至１５のいずれか１項に記載の使い捨て調合装置（１）において、前記調合容器は半透明もしくは少なくともやや透明の液体不透過性材料を含むことを特徴とする使い捨て調合装置（１）。
【請求項１７】
請求項１乃至１６のいずれか１項に記載の使い捨て調合装置（１）において、前記半透明のもしくは少なくともやや透明の液体不透過性材料はＵＶフィルターを含むことを特徴とする使い捨て調合装置（１）。
【請求項１８】
請求項１乃至１７のいずれか１項に記載の使い捨て調合装置（１）において、調合容器の前記底部は形状が封じ込まれる折畳み部（９、１０）を含むことを特徴とする使い捨て調合装置（１）。
【請求項１９】
請求項１乃至１８のいずれか１項に記載の使い捨て調合装置（１）において、前記調合容器（３）は内方区分（２）に対する固定及び支持体の少なくとも一部分を形成することを特徴とする使い捨て調合装置（１）。
【請求項２０】
請求項１乃至１９のいずれか１項に記載の使い捨て調合装置（１）において、前記調合容器は屹立袋として形成されることを特徴とする使い捨て調合装置（１）。
【請求項２１】
請求項１乃至２０のいずれか１項に記載の使い捨て調合装置（１）において、前記調合容器は放出装置（１６；２３）を含むことを特徴とする使い捨て調合装置（１）。
【請求項２２】
請求項１乃至２１のいずれか１項に記載の使い捨て調合装置（１）において、前記調合容器は剥離可能なシーリング（１８）により頂部を閉塞されることを特徴とする使い捨て調合装置（１）。
【請求項２３】
請求項１乃至２２のいずれか１項に記載の使い捨て調合装置（１）において、前記剥離可能なシーリングは、薄膜の帯やホットメルト式の剥離可能な帯を含むことを特徴とする使い捨て調合装置（１）。
【請求項２４】
請求項１乃至２３のいずれか１項に記載の使い捨て調合装置（１）において、前記調合容器は少なくとも１つの取っ手（１２）を具備することを特徴とする使い捨て調合装置（１）。
【請求項２５】
請求項１乃至２４のいずれか１項に記載の使い捨て調合装置（１）において、前記調合容器は頂部閉塞装置（１１）を備えることを特徴とする使い捨て調合装置（１）。
【請求項２６】
請求項１乃至２５のいずれか１項に記載の使い捨て調合装置（１）において、前記閉塞装置はフラップ、スライドファスナー、接着材、またはこれらの組合せを含むことを特徴とする使い捨て調合装置（１）。
【請求項２７】
請求項１乃至２６のいずれか１項に記載の使い捨て調合装置（１）において、前記液体透過性の内方区分材料（４）は、穿孔エッチング、融解、型打ち、あるいは切り込みされた形成体（ｐｌａｓｔ）、ポリエチレンやポリプロピレンなどのポリオレフィン、ポリエステル、ポリアミド、及びその他のポリマー、織り込んだまたは不織の膨張プラスチック、布、篩、ワイアメッシュ、金属、または射出成形されたプラスチックを含むことを特徴とする使い捨て調合装置（１）。
【請求項２８】
請求項１乃至２７のいずれか１項に記載の使い捨て調合装置（１）において、前記液体透過性の内方区分材料（４）は薄膜材を含むことを特徴とする使い捨て調合装置（１）。
【請求項２９】
請求項１乃至２８のいずれか１項に記載の使い捨て調合装置（１）において、内方区分（２）の液体透過性材料（４）には、型打ち、切込み、エッチング、または融解によりつくられる孔（７）が設けられることを特徴とする使い捨て調合装置（１）。
【請求項３０】
請求項１乃至２９のいずれか１項に記載の使い捨て調合装置（１）において、液体透過性の材料（４）には、ｃｍ２当り１乃至３０孔の、好ましくはｃｍ２当り２乃至２０孔の、最も好ましくはｃｍ２当り４乃至１２孔の範囲の孔（７）の密度を設けることを特徴とする使い捨て調合装置（１）。
【請求項３１】
請求項１乃至３０のいずれか１項に記載の使い捨て調合装置（１）において、前記孔（７）は０．０１ｍｍ＊０．０１ｍｍ乃至２．００ｍｍ＊２．００ｍｍの、好ましくは０．１ｍｍ＊０．１ｍｍ乃至１．０ｍｍ＊１．０ｍｍの、最も好ましくは０．１ｍｍ＊０．１ｍｍ乃至０．６ｍｍ＊０．６ｍの範囲の寸法を持つことを特徴とする使い捨て調合装置（１）。
【請求項３２】
請求項１乃至３１のいずれか１項に記載の使い捨て調合装置（１）において、前記孔（７）の寸法は大気圧の下でおよそ３乃至６分の調合時間を与えるようにされていることを特徴とする使い捨て調合装置（１）。
【請求項３３】
請求項１乃至３２のいずれか１項に記載の使い捨て調合装置（１）において、内方区分（２）はポリプロピレン、ポリエチレン、ポリエステル、ポリアミド、またはポリオレフィンやその他のポリマーの群から選択された材料で作られることを特徴とする使い捨て調合装置（１）。
【請求項３４】
請求項１乃至３３のいずれか１項に記載の使い捨て調合装置（１）において、前記調合装置（１）は互いに密着した薄膜材により形成されることを特徴とする使い捨て調合装置（１）。
【請求項３５】
請求項１乃至３４のいずれか１項に記載の使い捨て調合装置（１）において、前記内方区分は袋を構成することを特徴とする使い捨て調合装置（１）。
【請求項３６】
請求項１乃至３５のいずれか１項に記載の使い捨て調合装置（１）において、前記内方区分（２）は密封されることを特徴とする使い捨て調合装置（１）。
【請求項３７】
請求項１乃至３６のいずれか１項に記載の使い捨て調合装置（１）において、内方区分は開口していることを特徴とする使い捨て調合装置（１）。
【請求項３８】
請求項１乃至３７のいずれか１項に記載の使い捨て調合装置（１）において、前記内方区分は調合容器の容積の１０乃至９５％の、好ましくは５０％乃至９０％の範囲の容積の大きさを持つことを特徴とする使い捨て調合装置（１）。
【請求項３９】
請求項１乃至３８のいずれか１項に記載の使い捨て調合装置（１）において、前記容積の大きさは内方区分材料（２）の密着の継ぎ目（３１）の位置により調整されることを特徴とする使い捨て調合装置（１）。
【請求項４０】
請求項１乃至３９のいずれか１項に記載の使い捨て調合装置（１）において、少なくとも２つの別個の内方区分が内側にすなわち互いに並んで配置されることを特徴とする使い捨て調合装置（１）。
【請求項４１】
請求項１乃至４０のいずれか１項に記載の使い捨て調合装置（１）において、調合容器と内方区分とは密着することにより互いに繋留されることを特徴とする使い捨て調合装置（１）。
【請求項４２】
請求項１乃至４１のいずれか１項に記載の使い捨て調合装置（１）において、前記内方区分は底部の折畳み部を含むことを特徴とする使い捨て調合装置（１）。
【請求項４３】
請求項１乃至４２のいずれか１項に記載の使い捨て調合装置（１）において、外方シーリングは金属箔、高分子薄膜、金属化されたまたは被覆された薄膜、高分子シーラント、ポリエステル、ポリアミド、並びにポリエチレン及びポリプロピレンを含むポリオレフィン、もしくはこれらの任意の組合せの群から選択された材料で作られることを特徴とする使い捨て調合装置（１）。
【請求項４４】
請求項１乃至４３のいずれか１項に記載の使い捨て調合装置（１）において、前記外方シーリングは多層構造を成すことを特徴とする使い捨て調合装置（１）。
【請求項４５】
請求項１乃至４４のいずれか１項に記載の使い捨て調合装置（１）において、前記外方シーリングはラミネートを成すことを特徴とする使い捨て調合装置（１）。
【請求項４６】
請求項１乃至４５のいずれか１項に記載の使い捨て調合装置（１）において、調合容器（３）の構造材は防護用の薄膜及び／またはバリア層で被覆されることを特徴とする使い捨て調合装置（１）。
【請求項４７】
請求項１乃至４６のいずれか１項に記載の使い捨て調合装置（１）において、前記外方シーリングは少なくとも１つの高分子薄膜、金属化されたまたは被覆された薄膜、ＥｖＯＨ被膜、金属箔、シーラント、もしくはこれらの組合せを含むことを特徴とする使い捨て調合装置（１）。
【請求項４８】
請求項１乃至４７のいずれか１項に記載の使い捨て調合装置（１）において、調合容器材の前記多層構造は外側の高分子薄膜と、中間のバリア層と、高分子シーラントの内側の層とを含むことを特徴とする使い捨て調合装置（１）。
【請求項４９】
請求項１乃至４８のいずれか１項に記載の使い捨て調合装置（１）において、前記香気材は炒った及び／または挽いたコーヒー、インスタントコーヒー、茶、ミルク粉末、ハーブ、果物、食肉、チョコレート粉末、野菜、穀物、またはこれらの組合せ、または風味や香気やその他の機能を備えたり提供したりするその他の材料を含むことを特徴とする使い捨て調合装置（１）。
【請求項５０】
実質的に大気圧の下で液体を前記調合容器の中に加えることで飲料が得られることを特徴とする、請求項１乃至４９のいずれか１項に記載の使い捨て調合装置で飲料を調合する方法。
【請求項５１】
実質的に大気圧の下で熱湯を前記調合容器の中に加えることでコーヒーが得られることを特徴とする、請求項１乃至５０のいずれか１項に記載の使い捨て調合装置で飲料を調合する方法。
【請求項５２】
請求項１乃至５１のいずれか１項に記載の使い捨て調合装置の、飲料を調合するための使用法。
【発明の詳細な説明】
【技術分野】
【０００１】
本発明は請求項１に記載の、例えばコーヒーや茶を調合するための使い捨てパッケージに関する。
【背景技術】
【０００２】
ＵＳＤ４４８６０２Ｓなどに記載されたコーヒーメーカーは、コーヒーメーカーとコーヒーポットの両方を１つの装置により構成している。ところがこの種のコーヒーメーカーは使用した後洗浄を要し、しかも一回限りの使用には適していない。装備は高すぎて本来的に使い捨てに不向きである。
【０００３】
コーヒー作りに関連する一回限りの装置の例には、ＵＳ４８８６６７４で開示された飲料製造カートリッジがある。このカートリッジは空気及び水を通さない材料で作られ、かつ、水性の媒質と混合するとスープやチョコレート、コーヒーなどの飲料となる生成物を含有している。香料袋の中、生成物の下に網状材が設置されている。香料袋を使う場合、加圧された液体が香料袋の頂部から香料袋へそして香料袋と網状材中に導入され、これにより香料袋の底部が広がる。香料袋は最終的に香料袋の頂部にノズルを具備することができる。この発明の欠点は、装置を利用するために加圧液体を要し、それを使用するための専用の装備が必要とされることである。したがって、手持ち式のコーヒーの調合には使用できない。
【０００４】
１つの課題は機械や、コーヒーポット、または従来のコーヒーフィルター及び漏斗を使わずにおいしくて均一な品質のコーヒーを作ることができることである。この課題はＵＳ５８４２４０８により少なくとも部分的に処理されており、それが記述する解決策は、パッケージに任意の飲用カップに適するフィルターと折り畳める漏斗とを含めるというものである。この例示された解決策は、折り畳める漏斗の枠が外方バッグとは別個の物体を形成して製造工程を複雑にするため、製造に費用がかかるという欠点を免れない。
【特許文献１】ＵＳＤ４４８６０２Ｓ
【特許文献２】米国特許第４８８６６７４号公報
【特許文献３】米国特許第５８４２４０８号公報
【発明の開示】
【発明が解決しようとする課題】
【０００５】
本発明が対処する幾つかの課題の１つは、製造工程及び、装置の必要材料の消費の双方に関する製造コストの低減である。
本発明が対処する別の問題は、特化された調合装置の必要を回避することである。
【課題を解決するための手段】
【０００６】
本発明は、液体透過性の材料４で形成されかつ香気材料５を含有する少なくとも１つの内方区分２と、液体不透過性の材料６で形成された調合容器３を形成する少なくとも１つの外方区分とを備え、前記少なくとも１つの液体透過性の内方区分２が前記調合容器３の中に組み入れられる使い捨て調合装置１に関する。
【０００７】
調合容器内に組み入れる内方区分は、好ましくは調合容器の内側に配置されてこれに繋留される。このことは特に、本発明の重要な利点すなわち調合装置が直ぐ使用できしかも使用中これを支持する装備を必要としないということの一助となる。使い捨て調合装置は、水または例えばアルコールやミルクなどの液体との共用を目的とするのが好ましい。本発明では使い捨て装置を一回あるいは数回の使用のための装置と定義する。
液体透過性の材料は、これが調合容器に繋留されるので支えを必要としない。
本発明の１実施形態では、前記外方区分３は薄膜材により形成される。
【０００８】
本発明の薄膜材は、単一及び／または多層の構造を成してもよい。層は貼り合せても、相互に密着させても、全体を寄せ集めてもよい。好ましくは多層薄膜の内側の層は、所望の調合装置を画成する寄せ集めを助長するいわゆるシーラントを含むことができるようにする。
【０００９】
本発明の１実施形態では、前記調合装置は実質的に空気、香気、及び液体不透過性の外方シーリングを含む。
外方シーリングは外側の環境とシーリングの内側の環境との間のバリアを形成する。これにより含まれた香気材料は保護され、その有効期間は延長される。
本発明の１実施形態では、前記調合容器は調合装置の外方シーリングを形成する。
【００１０】
好ましい実施形態では、調合区分３それ自身の液体不透過性の材料が、酸素、香気などの気体を含む空気と、水や湿気などの液体とに対する密閉されたバリアを形成するから、別個の外方シーリング４１は不要である。調合容器それ自身が外方シーリングを形成すれば、余分な覆いを補うことによる材料費と製造費は共に節約される。
【００１１】
本発明の１実施形態では、内方区分の材料と、調合容器の材料と、外方シーリングとはバッグまたは袋として形成される。
本発明の利点は、バッグ状の特質により使用前の調合装置全体が平板なパッケージの外観を呈し小スペースしか占有しないことである。
本発明の１実施形態では、調合容器３と内方区分２と外方シーリングとはシート状、網状、円筒状または長尺の構造材から形成される。
調合装置の全部分を例えば網状の構造材から全体的に形成すれば、簡単でコストを節約した製造工程に寄与する。
【００１２】
本発明の１実施形態では、調合容器及び／または内方区分はそれぞれ１つの単一のシート状の構造材から形成することができる。さらなる実施形態では、２、３かそれ以上のシート状の材料を組み付けて調合容器及び／または内方区分を形成する。
【００１３】
本発明の１実施形態では、調合容器３と、内方区分２と、外方シーリングとを形成する前記バッグまたは袋は、縁部を密着させることにより組み付けられる。
本発明の１実施形態では、調合容器３の構造材と内方区分材料４との耐熱性は少なくとも１００℃まである。
内方区分材料と外方区分材料とが沸騰水の温度に耐えるのは有利である。
本発明の１実施形態では調合装置１を使用するには大気圧で十分である。
【００１４】
コーヒーの調合に言及すれば、本発明の調合装置の重要な特徴は、ユーザーが伝統的なやり方でコーヒーを調合できることである。伝統的調合とは、大気圧を超える圧力を要せずに水をして液体透過性材を通過させることである。さらに本発明の調合装置が余分なまたは特別な装備を要せずに機能するのも有利である。
【００１５】
本発明の１実施形態では、前記液体不透過性の材料は前記調合容器の壁部と底部とを構成する。
本発明の１実施形態では、前記液体不透過性の底部の材料は前記壁部の材料よりいっそうの可撓性を持つ。
底部材料と壁部材料は、容易に膨張する調合容器をもたらすように互いに調節できるのが好ましい。
【００１６】
本発明の１実施形態では調合容器の前記液体不透過性の材料は、金属箔、高分子薄膜、金属化したまたは被覆した薄膜、高分子シーラント、ポリエステル、ポリアミド、並びにポリエチレン及びポリプロピレンを含むポリオレフィン、またはこれらの組合せの群から選択された少なくとも１つの薄膜または箔を含む。
【００１７】
本発明の１実施形態では調合容器３の液体不透過性材料は、調合容器が自立できるに十分な大きさの剛性を持つ。
容器がそれ自身屹立できるように高い剛性を持つ材料が好ましい。外方シーリングの側壁材は、調合装置の製造中や取扱い中の安定を保証する剛性と熱安定性とを持つ。
【００１８】
本発明の１実施形態では調合容器３の液体不透過性材料は１０μｍ乃至２ｍｍの、好ましくは４０μｍ乃至５００μｍの、より好ましくは６０μｍ乃至２００μｍの、最も好ましくは８０μｍ乃至１５０μｍの範囲の厚さを持つ。
選択された材料により、厚さを調節して調合容器が自立できる剛性を得るようにするのが好ましい。
【００１９】
本発明の１実施形態では、液体不透過性の材料は多層構造を成す。
本発明の１実施形態では、調合容器の側壁材と底部材との多層構造の材料の好ましい組合せは、外側の高分子薄膜と、中間のバリア層と、高分子シーラント（例えばＨＤＰＥ）の内側の層とを含むことができる。
本発明の１実施形態では、前記調合容器は半透明のまたは少なくともやや透明の液体不透過性材料を含む。
【００２０】
少なくとも一部が半透明の調合容器の被膜は、酸化アルミニウム、酸化ジルコニウム、酸化シリコンを基準としたガラスなどのセラミック材、またはエチレンビニルアルコール（ＥｖＯＨ）などのその他の被覆材、並びにこれらの組合せを含むことができる。半透明の調合容器は調合過程を観察できるので使用するのに便利である。使用前の調合容器の貯蔵能力すなわち有効期間は、半透明の材料が明らかに耐光性ではないので短縮されがちだが、調合容器を被覆するシーリングがこの問題を解決する。
【００２１】
本発明の１実施形態では、前記半透明のまたは少なくともやや透明の液体不透過性材料はＵＶフィルターを含む。
本発明の１実施形態では、調合容器の前記底部は形状が封じ込められる折畳み部を含む。
【００２２】
底部の折畳み部は容器の自立を可能にするから、調合容器を支持する装備は容器が自立するため不要である。底部折畳み部の接合の形は、液体を満たした調合容器の形状に顕著に影響する。つまり使用中の調合容器は例えば円形、楕円形、矩形の底部形状を採ることができる。
【００２３】
本発明の１実施形態では、調合容器は、同様に調合容器に屹立能力を達成させる別の底部構造を構成することができる。底部構造は例えば折り畳まなくともよい。
本発明の１実施形態では、前記調合容器３は内方区分２に対する固定及び支持体の少なくとも一部分を形成する。
【００２４】
本発明の好ましい実施形態では、外方の調合区分すなわち調合容器は、調合前も調合中も少なくとも１つの内方区分の少なくとも一方に対する固定及び支持体のほぼ全部を形成する。
本発明の１実施形態では、前記調合容器は屹立した袋として形成される。
本発明の１実施形態では、調合容器は放出装置を備えている。
放出装置は、調合された飲料の量と流れとを制御しながら確実に調合容器から飲料を注ぐことができるように、注ぎ口または別種の小開口を構成することができる。
【００２５】
本発明の１実施形態では、調合容器は剥離可能なシーリングにより頂部を閉塞されている。
剥離可能なシーリングには例えばポリエチレン、各種技術により形成された剥離可能な被膜や剥離可能な薄膜を含むことができる。剥離可能なシーリングは、それが剥がされるまで気体、香気、湿気などに対するバリアを形成する利点を持つ。
本発明の１実施形態では、剥離可能なシーリングは薄膜の帯やホットメルト式の剥離可能な帯を含む。
【００２６】
ホットメルト式の剥離可能な帯は、調合区分の頂部で、または別個の外方シーリングのどこかで剥離可能なシーリングに密着する、相互に対面する表面の少なくとも一方に使用することができる。同様にこの剥離可能な帯は、本発明の使い捨て調合装置のユーザーにより剥がされる頂部に、または剥離可能なシーリングの別の適当位置に装置することができる。
【００２７】
本発明の１実施形態では、調合容器は少なくとも１つの取っ手を具備する。
様々な形状を採り多様な方法で調合容器に取り付けることのできる取っ手は、ユーザーをして安全に調合容器を持ち上げ、動かし、傾けさせる。さらに調合容器の取扱いを容易かつ安全にするため、調合容器には２つまたは数個の取っ手を備えるのが好ましい。
【００２８】
本発明の１実施形態では、前記調合容器は頂部閉塞装置を備えている。
閉塞装置は、液体を添加した後での調合容器の閉め直しを容易にすることができる。この閉成は調合容器の孤立作用に寄与する。調合容器は、調合された飲料を相当期間保温または保冷する一種のサーモスパッケージを形成することができる。閉塞装置はさらに、例えば調合容器が偶然に落下した場合の飲料の損失を防ぐ効果も持つ。さらに閉塞装置は、例えば熱かったり、べたついたり、色の着いた飲料にユーザーが望まない接触をしないようにするのにも寄与する。
【００２９】
本発明の１実施形態では、閉塞装置はフラップ、スライドファスナー、接着材料、あるいはこれらの組合せを含む。
閉塞装置は例えば、フラップ溶液を含む接着材料でも、スライドファスナーを含む非フラップ溶液でもよい。
【００３０】
本発明の１実施形態では、前記液体透過性の内方区分材料４は、穿孔エッチング、融解、型打ち、あるいは切り込みされた形成体（ｐｌａｓｔ）、ポリエチレンやポリプロピレンなどのポリオレフィン、ポリエステル、ポリアミド、及びその他のポリマー、織り込んだまたは不織の膨張プラスチック、布、篩、ワイアメッシュ、金属、または射出成形されたプラスチックを含む。
【００３１】
本発明の１実施形態では、前記液体透過性の内方区分材料４は薄膜材を含む。
本発明の１実施形態では、内方区分２の液体透過性材料４に、型打ち、切込み、エッチング、あるいは溶解によりつくられた孔７を設ける。
【００３２】
内方区分材料の液体透過性は例えば小孔７を穿つことで達成することができる。孔を設けた液体透過性材料は、ｃｍ２当りある密度の孔を穿ったというように記述することができる。
【００３３】
本発明の１実施形態では、液体透過性の材料４にはｃｍ２当り１乃至３０孔の、好ましくはｃｍ２当り２乃至２０孔の、最も好ましくはｃｍ２当り４乃至１２孔の範囲の孔の密度を設ける。
【００３４】
本発明の１実施形態では、孔７は０．０１ｍｍ・０．０１ｍｍ乃至２．００ｍｍ・２．００ｍｍの、好ましくは０．１ｍｍ・０．１ｍｍ乃至１．０ｍｍ・１．０ｍｍの、より好ましくは０．１ｍｍ・０．１ｍｍ乃至０．６ｍｍ・０．６ｍｍの範囲の寸法を持つ。
孔の好ましい大きさはサイズ０．２ｍｍ・０．４ｍｍの細長い孔である。孔の形状は用途に応じて変更することができる。
【００３５】
本発明の１実施形態では、孔７の寸法は大気圧下でおよそ３―６分の調合時間を与えるようにされている。
本発明の１実施形態では、内方区分２はポリプロピレン、ポリエチレン、ポリエステル、ポリアミド、ポリオレフィン、またはその他のポリマーの群から選択された材料で作られる。
好ましくは内方区分の構造材は調合容器のシーラントと融和して密着させる。
【００３６】
本発明の１実施形態では、前記調合装置１は相互に密着した薄膜材により形成される。
好ましくは、外方シーリングの内側は内方区分材に密着できるようにする。
本発明の１実施形態では、内方区分は袋を構成する。
本発明の１実施形態では、内方区分は密封される。
【００３７】
好ましいのは、香気材を含む内方区分が密封されて香気材が輸送及び貯蔵中に確実に内方区分に留まることである。これにより香気材の、外方調合区分すなわち調合容器への転移は阻止される。液体を例えば頂部開口を介して内方区分へ添加するのが好ましい場合は、使用する前にシーリングを剥がすことができる。
【００３８】
好ましい実施形態では、内方区分は外方調合区分の頂部のシーリングに接近して設置できるから、内方区分に特定のシーリングは不要である。したがって香気材の転移は設計により阻止できる。
【００３９】
本発明の１実施形態では、内方区分は開口している。
これは調合装置のユーザーが使用時に香気材を投与するのに好都合である。例えばそうした場合には、内方区分は輸送や貯蔵中に香気材を含有しないから、内方区分の密封は不要である。
【００４０】
本発明の１実施形態では、前記内方区分は調合容器の容積の１０乃至９５％の、好ましくは調合容器の容積の５０％乃至９０％の範囲の容積の大きさを持つ。
内方区分の容積の大きさは、内方区分材のシートのサイズなど様々な手段で設定できるが、本発明の好ましい実施形態では内方区分材における具体的な接合の位置により設定できる。そうした接合位置の例は図１７に示してある。
【００４１】
内方及び外方区分の容積は互いに対して調節され、液体と香気材の相互作用の空間をつくることができる。例えばコーヒーの調合では浸出過程はこれにより促進される。
一般に内方区分のいろいろな形状と局在化とにより、飲料の風味の集中と強さとを調節することができる。これにより内外の各区分を備えた調合装置の設計は、本来的に飲料の調節に寄与することができる。飲料が例えばコーヒーの場合、設計によりコーヒーをマイルド、ストロングなどにすることができる。
【００４２】
本発明の１実施形態では、内方及び外方区分は、大きな比率の内方区分材料が外方区分の側壁または底部に接触しないようにされている。
本発明の１実施形態では、前記容積の大きさは内方区分材料の接合の継ぎ目の位置により調整される。
【００４３】
本発明の１実施形態では、調合装置は、内側にすなわち互いに並んで配置される少なくとも２つの別個の内方区分を備えている。
本発明の１実施形態では、調合装置には１以上の内方区分を備えるのが好ましい。個別の区分は調合中に混合される別々の香気材に使用できる。別区分による隔離はこれらが使用前に混合されないことを保証する。
【００４４】
本発明の１実施形態では、調合容器３と内方区分２とは接合により互いに繋留される。
本発明の１実施形態では、内方区分は底部折畳み部を備えている。
本発明の１実施形態では、内方区分の別の底部構成例えば折り畳まない構成を選好することができる。本発明によれば、内方区分を折り畳むまたは折り畳まない底部の設計は、例えば内方区分材料の表面領域に影響することにより調合飲料の品質を左右することができる。
【００４５】
本発明の１実施形態では、外方シーリングは金属箔、高分子薄膜、金属化されたまたは被覆された薄膜、高分子シーラント、ポリエステル、ポリアミド、並びにポリエチレン及びポリプロピレンを含むポリオレフィン、もしくはこれらの任意の組合せの群から選択された材料で作られる。
本発明の１実施形態では、前記外方シーリングは多層構造を成している。
本発明の１実施形態では、前記外方シーリングはラミネートを成している。
【００４６】
構造材のラミネート組成は、調合装置の製造、貯蔵、及び取扱いにおいて軽くて堅い安定した材料にすることができる。
本発明の１実施形態では、調合容器３の構造材は保護用薄膜及び／またはバリア層で被覆される。
容器の材料それ自身が耐光性でない場合、それを被覆して含有した香気材を保護するのが好ましい。
【００４７】
環境に曝されると香気を失いがちな挽いたコーヒー豆などの香気材を調合装置に袋詰めした場合、特に香気材の量が大きなコーヒーパッケージと比べて相対的に小さい場合は、バリア層を堅くすることが優れて重要である。
【００４８】
本発明の１実施形態では、前記外方シーリングは少なくとも１つの高分子薄膜、金属化したもしくは被覆した薄膜、ＥｖＯＨ−被膜、金属箔、シーラント、またはこれらの組合せを含む。
本発明の１実施形態では、調合容器材の多層構造は外側の高分子薄膜、中間のバリア層、高分子シーラントの内側の層を含む。
【００４９】
本発明の１実施形態では、調合容器の側壁の、または別個の外方シーリングの多層構造用材料の好ましい組合せは、外側の高分子薄膜と、金属箔を含む中間のバリア層と、高分子シーラント（例えばＨＤＰＥ）の内側の層とを含む。
【００５０】
さらに本発明の１実施形態では、調合容器の底部材料、または別個の外方シーリングを形成する多層構造用材料の好ましい組合せは同じ多層構造を成すが、中間の金属箔のバリア層が、金属化されかつ例えばＥｖＯＨ（エチレンビニルアルコール）で被覆された高分子薄膜を含むバリア層に代わる。
【００５１】
本発明の１実施形態では、調合容器の側壁材料と底部材料の可撓度の違いは例えば上述の取替えにより処理され、金属箔を、ＥｖＯＨで被覆した金属化薄膜に代えれば、より可撓性のある多層材にすることができる。
【００５２】
本発明の１実施形態では、前記香気材は炒った及び／または挽いたコーヒー、インスタントコーヒー、茶、ミルク粉末、ハーブ、果物、食肉、チョコレート粉末、野菜、穀物、またはこれらの組合せ、または風味や香気やその他の機能を備えたり提供したりするその他の材料を含む。
風味や香気以外のその他の機能とは例えば色、濃度、エネルギーなどである。
【００５３】
調合装置で作られる飲料は例えばコーヒー、エスプレッソ、ラテ、モカ、茶、冷やした飲み物、ホットチョコレート、ブレンドした飲み物、フルーツジュース、またはその他任意の適当なすなわち飲める流体である。
【００５４】
本発明の１実施形態では、使い捨て調合装置は飲料の調合に用いられる。
本発明の１実施形態では、使い捨て調合装置で飲料を調合する方法は、ほぼ大気圧の下で液体を前記調合容器に添加することにより飲料を得ることを含む。
本発明の１実施形態では、使い捨て調合装置でコーヒーを調合する方法は、ほぼ大気圧の下で熱湯を前記調合容器に添加することでコーヒーを得ることを含む。
【００５５】
調合装置をコーヒー作りに用いる場合は、調合過程で挽いたコーヒー（ｃｏｆｆｅｅ  ｇｒｏｕｎｄｓ）が水と混合して、挽いたコーヒーと水とが相互作用する浸出過程が生じ、浸出過程で挽いたコーヒーが水を吸収したあとつぶれながら香気を水に放つことによりコーヒー飲料を生じさせる。
【発明を実施するための最良の形態】
【００５６】
本発明を図面を参照しながら記述する。
説明のため、図１Ａと、図５乃至１８の調合装置の部分は一部透明にして示してある。
図１Ａと１Ｂは、本発明の１実施形態による調合装置のそれぞれ正面図と側面図である。
【００５７】
調合装置１は、調合容器とも外方バッグともいう外方の調合区分３を備えている。シート材６と、底部接合部９と、融合シール８ともいう２つの側部接合部と、上方の剥がせるシーリング１８とで集合的に外方調合区分を画成する。シート材６はさらに取っ手１２を形成し、取っ手１２は、取っ手１２を画成する領域全体を覆う連続貼合せにより強化される。外方バッグの上方部分は頂部の封止部または閉塞部、例えばシート部分により形成されるフラップ１１を含んでいる。頂部閉塞部１１には、液体を装置１の中に注ぐまたは注入したらバッグを閉塞するために接着剤を設けるのが好ましい。この点について使用中の装置１の機能について以下にさらに説明する。調合区分３の頂部でシート材６を剥離可能なシーリング１８により接合する。するとシーリング１８から上のシート材６の一部は、掴みフラップ（クラッチフラップ：clutch flap）１９を形成する。図２−４にも見えるシート材１０は外方調合区分３の下方部分を形成する。シート材１０は側部接合部８に貼り付けられ、連続貼付け層９により形成される。下方の構成は外方区分３が液体で満たされると強化された自立装置を呈する。下方構成の基本原理は当業界で周知である。
【００５８】
さらに調合装置は、フィルター材４で画成されかつ外方区分３を画成するシート６に密着した内方区分２をも含む。内方区分は図２−４に示した香気材５を含んでいる。
【００５９】
明らかに、内方区分２の外方区分３への繋留は幾つかの異なる方法例えば密着、熱貼付け、糊付けなどで行われ、繋留点はとびとびでも連続的でも、例えば接合部８の一方でも両方でもよい。これに関連して留意すべきは、内方区分は外方区分に対して一種の吊下げまたは固定をするのが好ましいが、内方区分が原理的に外方区分内を自由に「浮遊」できることである。
【００６０】
図示したフィルター材４は高分子薄膜を成し、薄膜は例えば型打ちで得られる適当な大きさの多数のとびとびの孔７を備えている。孔の大きさは使用する香気材５に関する所望のフィルター機能に調節できる。
【００６１】
図２−４に、図１Ａのそれぞれ線II−II、III−III、及びIV−IVのところでの図１Ａの膨張した使い捨て調合装置の３つの異なる断面が示してある。
図２は調合装置１の線II−IIでの断面を示す。図示した調合装置は基本的に上述した２つの区分を含む。すなわち、上述した寄集め例えば接合によりシート６及び１０で基本的に形成された外方区分３の中に位置するフィルター材４により形成される内方区分２を含んでいる。内方区分２は香気材５を含む。シート材１０のシート６への上述の連続貼付け層９は底部の支持構造の一部を形成し、この構造は外方及び内方区分が液体で満たされると確実に調合装置を自立させる。
【００６２】
図３は図１Ｂ及び図２の折り畳まれていない調合装置１の、図１Ａの線IV−IVに少し近い断面の、線III−IIIでの断面を示している。注目は外方区分３の底部での内壁間の間隔が図２の断面に比べると広がっていることである。
【００６３】
図４は図１Ｂ、図２、及び図３の折り畳まれていない調合装置１の真ん中の線IV−IVでの断面を示している。注目は外方区分３の底部での内壁間の間隔が図３の断面に比べると広がっていることである。
【００６４】
注目は、本発明の別の好ましい実施形態によればシート６とシート材１０とは１つの単一の折り畳んだシートにより形成できることである。このシートは上述のシート６及び１０を寄せ集める接合部９に対応した、下部装置を画成する接合部と、もちろん既述の側部画成接合部８とを含むことができる。
【００６５】
さらに注目は、本発明の好ましい実施形態によれば、接合部８、９及び頂部の剥離可能なシーリング１８と一体となったシート材６及び１０から成る調合容器の材料が、集合的に調合装置の外方シーリングを形成することである。この外方シーリングは気体、湿気、香気、及びその他の物質に対するバリアを効果的に形成して、調合容器の内外への拡散を阻止することができる。したがって、調合容器に含まれた香気材５はこれにより頂部の剥離可能なシーリング１８が剥がされるまで保護される。
【実施例】
【００６６】
図５−１０は図１Ａ、１Ｂ、及び２−４で述べた、香気材５を含有した調合装置の使用過程を示す。図示した実施形態では、香気材は挽いたコーヒーから成る。
図５に図１Ａの調合装置１が用意されている。
【００６７】
図６で機械的に矢印Ａ、Ｂの側に引張ることによりまず調合装置を開口している。これにより剥離可能なシーリング１８が剥がされる。フラップ１１、１９を掴んで引張れば矢印Ａの両側への引張りを行うことができる。
【００６８】
本発明のさらなる実施形態によれば、矢印Ｂの両側へ機械的に引張る最初のステップは、充填中は液体がこの仕事を行うので明らかに省略できる。
図７でやかんなどの液体分配器１４が調合装置１の中に液体を注いでいる。熱いのが好ましい液体は挽いたコーヒーと混合し、内方のフィルター区分２の中でコーヒーの懸濁液１５をつくる。
図８で頂部フラップ１１を矢印Ａの方向に折り込んでいる。
【００６９】
図９では頂部フラップ１１の閉塞が完成し、懸濁液１５は今や調合装置の外方区分に含まれ、一部は多分内方区分にある。頂部フラップ１１を閉塞すると、一種の放出装置または注ぎ口を形成する開口１６を有した閉塞容器が成立する。一般に調合装置は、調合が完了するまで例えば１−２０分間、例えばコーヒーの調合の際は好ましくは２−７分の間そのままにしておくべきである。
【００７０】
図１０では調合が完了し、ユーザーは今や例えば取っ手１２を使って調合装置１を持ち上げ調合された液体１５ここではコーヒーをカップ１７の中に注いでおり、飲み物は飲める状態になっている。注目は、懸濁液１５の顆粒が完全にまたは少なくとも大部分が調合装置１の内方区分に留まり、これにより得られたコーヒーは煩わしい物体から確実に開放されることである。
【００７１】
図１１は、図１Ａに図示した実施形態にほぼ対応するが、永久的な上方シーリング２１を具えた本発明の別の実施形態２０を示している。
図１２で、密封された調合装置１の一片２２を切断することでユーザーは簡単に調合装置に働きかけ、これにより開口２３ができている。
図１３で水の方が好ましい液体が調合装置の中に注入または注ぎ込まれ、調合された液体１５は今や開口２３を介して例えばカップ１７に注ぐことができる。
【００７２】
図１４−１６は図１２の調合装置に液体を注入する幾つかの方法の１つを示している。この実施形態によれば付属品の装置２６をこの目的に使用する。付属品の液体収容装置２６は、調合装置２０の開口２３に挿入するための管状突出部２５を備えている。
図１５で調合装置２０は管状突出部２５に引っ掛けられ、図１６で液体２７が調合装置の中に注入されると、調合された液体はそのあと開口２３を介して配分することができる。
【００７３】
図１７は別の実施形態３０と、内方区分の容積を調節する幾つかの異なる方法の１つとを示している。ここでは、もっぱら内方区分材料２に作用する接合部３１により達成されている。接合部３１は内方区分の好ましい容積にしたがって異なるように配置することができる。接合部３１はさらに、調合された飲料と共に香気材が容器から注出しないようにする機能を持つ。
【００７４】
図１８は別の実施形態４０を示しており、調合装置は別個の外方シーリング４１に封入されている。外方シーリング４１は矩形でも、楕円形でも、袋状でも、箱状その他でも構わない。外方シーリング４１の設計は本発明の範囲について限界を設けていない。
【００７５】
コーヒー調合用の調合装置を製造するための材料の具体的に好ましい選択例を以下に述べる。
調合装置の側壁６は、３層すなわち、ＰＥＴＰで作る外側の層、アルミニウム箔例えば９μｍの箔で作るバリア層としての中間層、及び１５０μｍの高密度ポリエチレン（ＨＤＰＥ）を含むシーラントを形成する内側の層、を含む多層のラミネート材で作ることができる。
【００７６】
調合容器の底部シート１０は３層すなわち、共有押出し成形された２軸配向の例えば２０μｍの厚さのポリプロピレン、金属化されエチレンビニルアルコール（ＥｖＯＨ）で被覆されたポリエチレンテレフタレート（ＰＥＴ）で作るバリア層としての中間層、例えば５０μｍの線状低密度ポリエチレン（ＬＬＤＰＥ）または高密度ポリエチレン（ＨＤＰＥ）を含むシーラントを形成する内側の層、を含む多層ラミネート材で作ことができる。
内方区分４は、０．２＊０．４の大きさの孔を型打ちしｃｍ２当り８孔の密度の３０μｍ高密度ポリエチレン（ＨＤＰＥ）で作ることができる。
【００７７】
本発明を決して上述の材料に限定しないことを強調する立場から、材料選択の概略を以下に述べる。内方外方の両方の区分に１つまたは幾つかの層を適用することができる。加えてさらに別の区分を既述の両区分に付加することもでき、また明らかに本発明の調合装置はさらに別のパッケージ例えば外方シーリングの中に保持することができる。これは、香気材を調合装置の中に密封しないで保持する場合に優れて重要である。
別の形状の調合装置も同様に本発明の範囲内で適用することができる。別の形状の底部接合部９が例えばこれを整形してくれる。
【図面の簡単な説明】
【００７８】
【図１Ａ】本発明の実施形態による使い捨て調合装置を示した図である。
【図１Ｂ】本発明の実施形態による使い捨て調合装置を示した図である。
【図２】図１Ａの調合装置の線II―IIでの断面を示した図である。
【図３】図１Ａの調合装置の線III―IIIでの断面を示した図である。
【図４】図１Ａの調合装置の線IV―IVでの断面を示した図である。
【図５】図１Ａの調合装置を使用する際の調合過程を示した図である。
【図６】図１Ａの調合装置を使用する際の調合過程を示した図である。
【図７】図１Ａの調合装置を使用する際の調合過程を示した図である。
【図８】図１Ａの調合装置を使用する際の調合過程を示した図である。
【図９】図１Ａの調合装置を使用する際の調合過程を示した図である。
【図１０】図１Ａの調合装置を使用する際の調合過程を示した図である。
【図１１】本発明のさらなる実施形態を示した図である。
【図１２】図１１の調合装置を使用する際の調合過程を示した図である。
【図１３】図１１の調合装置を使用する際の調合過程を示した図である。
【図１４】図１１の調合装置を使用する際の別の調合過程を示した図である。
【図１５】図１１の調合装置を使用する際の別の調合過程を示した図である。
【図１６】図１１の調合装置を使用する際の別の調合過程を示した図である。
【図１７】内方区分の容積の調節部をさらに含む図１Ａの調合装置を示した図である。
【図１８】別個の外方シーリングをさらに備えた図１Ａの調合装置を示す図である。
【符号の説明】
【００７９】
１    調合装置
２    内方区分
３    外方区分
４    フィルター材
５    香気材
６、１０    シート材
７    孔
８    融合シール
９    底部接合部
１１、１９    フラップ
１２    取っ手
１４    液体配分器
１５    コーヒー懸濁液
１８    剥離可能なシーリング
【図１Ａ】
2007536172.tif 000003
【図１Ｂ】
2007536172.tif 000004
【図２】
2007536172.tif 000005
【図３】
2007536172.tif 000006
【図４】
2007536172.tif 000007
【図５】
2007536172.tif 000008
【図６】
2007536172.tif 000009
【図７】
2007536172.tif 000010
【図８】
2007536172.tif 000011
【図９】
2007536172.tif 000012
【図１０】
2007536172.tif 000013
【図１１】
2007536172.tif 000014
【図１２】
2007536172.tif 000015
【図１３】
2007536172.tif 000016
【図１４】
2007536172.tif 000017
【図１５】
2007536172.tif 000018
【図１６】
2007536172.tif 000019
【図１７】
2007536172.tif 000020
【図１８】
2007536172.tif 000021
【国際調査報告】
2007536172.tif 000022
2007536172.tif 000023
2007536172.tif 000024